(57)【要約】【課題】機器運転の際において確実な扉閉鎖状態を実現するとともに、運転オン以外のときには開閉操作力には影響を及ぼさない利便性の高い家電機器を得る。【解決手段】開口部を有する本体１と、前記開口部を開閉する扉４と、前記扉の開閉状態を検知する検知装置１２と、前記扉を本体方向に押し付ける力を発生する駆動装置２０とを備え、扉開閉検知スイッチ１５がオン、すなわち扉４が閉塞されていると判断した場合のみ、運転が可能とし、かつその後、操作パネル５上に設置されている運転ボタンにより運転がオンされた後に、駆動装置２０が起動することで、扉４の突起爪２３に駆動装置２０の引っ掛け爪２２を係合して扉を本体方向に押し付けて閉鎖力を高める。【選択図】        図２
2006275439.tif 000002
【特許請求の範囲】
【請求項１】
開口部を有する本体と、前記開口部を開閉する扉と、前記扉の開閉状態を検知する検知装置と、前記扉を本体方向に押し付ける力を発生する駆動装置とを備え、
前記検知装置が扉閉鎖状態を検知し、かつ、使用者が運転入の操作をしたときに、前記駆動装置が起動して前記扉を本体方向に押し付ける構成となっていることを特徴とする家電機器。
【請求項２】
前記扉および前記駆動装置に、扉開放時には係合が外れ、使用者の運転入の操作によって係合する係合部材または爪部材を設けたことを特徴とする請求項１記載の家電機器。
【請求項３】
前記係合部材または爪部材は、前記扉のヒンジより遠い位置に配置されていることを特徴とする請求項２記載の家電機器。
【請求項４】
前記駆動装置の起動が特定の入力キーの操作によりなされることを特徴とする請求項１乃至３のいずれかに記載の家電機器。
【請求項５】
前記扉または前記本体の開口部周辺の閉鎖面の少なくとも一方の面に、パッキンを設けたことを特徴とする請求項１乃至４のいずれかに記載の家電機器。
【請求項６】
前記パッキンは電磁波シールド材であることを特徴とする請求項５記載の家電機器。
【発明の詳細な説明】
【技術分野】
【０００１】
本発明は、開閉自在な扉を有する家電機器に関する。
【背景技術】
【０００２】
従来の家電機器においては、扉の開閉状態を検知し、扉が開または閉のどちらかの状態でなければ、機器操作のための入力を受け付けない構成となっている（例えば、特許文献１参照）。
【０００３】
【特許文献１】特開平１１−２１４１４７号公報（第２―４頁、図１）
【発明の開示】
【発明が解決しようとする課題】
【０００４】
特許文献１に開示された従来の家電機器では、誤って運転操作をした場合のフェールセーフ手段として、扉に設けた複数の突起により、筐体内に設けられたそれぞれのマイクロスイッチを押す構造となっている。そして、それぞれのマイクロスイッチが押された状態でのみ運転可能とし、扉開状態における運転を防止する構成となっている。
【０００５】
上記の構成でもフェールセーフには十分な機能を果たすと考えられるが、扉バネの経年劣化やマイクロスイッチを押す突起の熱変形、製造上の寸法誤差に起因する扉閉鎖時の意図しない運転オフなどの誤作動の可能性は否定できない。
【０００６】
また、扉の閉鎖状態を確実なものとするために、使用者自体が扉ハンドルの回転操作などにより、扉をロック状態にするものもあるが、ロック機構に人力が必要であるなど、必ずしも使用者にとって使いやすい機構ではなかった。
【０００７】
本発明は、上記のような課題を解決するためになされたもので、機器運転の際において確実な扉閉鎖状態を実現するとともに、運転オン以外のときには開閉操作力には影響を及ぼさない利便性の高い家電機器を得ることを目的とする。
【課題を解決するための手段】
【０００８】
本発明に係る家電機器は、開口部を有する本体と、前記開口部を開閉する扉と、前記扉の開閉状態を検知する検知装置と、前記扉を本体方向に押し付ける力を発生する駆動装置とを備え、前記検知装置が扉閉鎖状態を検知し、かつ、使用者が運転入の操作をしたときに、前記駆動装置が起動して前記扉を本体方向に押し付ける構成となっていることを特徴とするものである。
【発明の効果】
【０００９】
本発明の家電機器は、扉の開閉状態を検知する検知装置に加え、扉を本体方向に押し付ける力を発生する駆動装置を設けたものであり、この駆動装置は、前記検知装置が扉閉鎖状態を検知し、かつ、使用者が運転入の操作をしたときに起動するようになっているので、扉を確実に閉鎖状態に保持することができ、しかも扉の閉鎖力を強くすることも可能である。さらに、運転オン以外のときには自由に扉を開閉することができる。
【発明を実施するための最良の形態】
【００１０】
以下、本発明の実施の形態を図面に基づいて説明する。ここではオーブンレンジの場合を例にあげて説明する。
【００１１】
実施の形態１．
図１は本発明の実施の形態１を示すオーブンレンジの外観斜視図、図２は本発明の要部を示すオーブンレンジの扉閉鎖状態の断面側面図、図３はオーブンレンジの扉開放途中状態を示す断面側面図である。なお、図２、図３は図１のＡ−Ａ矢視縦断面図に相当するものである。
【００１２】
オーブンレンジにおいては、本体１の中に加熱室２があり、使用者がハンドル３を手前に引くことにより扉４を開放し、加熱室２に被加熱物を設置する。設置後、操作パネル５上に配置された調理を実行するための運転ボタン（図示せず）を押すと、マグネトロン（図示せず）から加熱室２内にマイクロ波が供給され、誘電加熱により加熱を行うようになっている。
【００１３】
扉４の開閉機構は、図２に示すように、本体１の側面の内部（本体ケースと加熱室ケースの間の空間内）に配置されている。扉４は、下部を回転の支点とするヒンジ６により本体１に開閉自在に連結されている。また、本体１側に設けられたドアアーム７が扉４に軸８を介して連結されるとともに、本体１に設けられた回転軸９に係止し、さらにドアアーム７はバネ１０により本体１側に引きつけられている。バネ１０はバネ固定具１１により一端を本体１に固定され、他端をドアアーム７に固定されている。
したがって、バネ１０の復元力により、扉４は閉じられている。バネ１０のバネ定数を適切に設定することにより、使用者は人力で扉４の開放と、バネ力の補助を受けた扉４の閉鎖を行うことができることになる。
【００１４】
この扉４の開閉状態を検知する検知装置１２として、突起１３が扉４に設けられており、本体１側には扉閉鎖時、突起１２により押されるレバー１４と、レバー１４により押される扉開閉検知スイッチ１５が設けられている。これらのレバー１４および扉開閉検知スイッチ１５は本体１の側面の内部に配置され、また、加熱室２の開口部周辺に設けられた前面パネル１６には突起１２の挿入口１７が設けられている。
したがって、扉閉鎖時、突起１２が挿入口１７より挿入してレバー１４の一端を押すと、レバー１４は矢印方向に回動し他端で扉開閉検知スイッチ１５を押し、これによりスイッチオン信号が出力するので扉４が閉鎖状態にあることを検知することができる。
また、扉開閉検知スイッチ１５が押された場合は、制御回路（図示せず）により、運転を許可するべく回路の短絡または開放が行われ、操作パネル５で行われる使用者の運転を許可することになる。
【００１５】
さらに、検知装置１２の扉閉鎖の検知後、使用者の運転オン操作により起動して扉４を本体１方向に押し付ける力を発生する駆動装置２０が本体１側に設置されている。この駆動装置２０は、図４の斜視図に示すように、例えばステッピングモータから構成されており、その回転軸２１には引っ掛け爪２２が取り付けられている。そして、この引っ掛け爪２２が係合する突起爪２３が扉４に設けられている。また、加熱室２の開口部周辺の前面パネル１６には突起爪２３が挿入する挿入口２４が設けられている。
したがって、扉閉鎖時、突起爪２３が挿入口２４より挿入すると、駆動装置２０により引っ掛け爪２２を矢印方向に回動させ、引っ掛け爪２２を突起爪２３に係合させ突起爪２３を引っ張ることにより扉４を本体１方向、すなわち閉じる方向に押し付けることができ、扉４の閉鎖力を強めることになる。
【００１６】
なお、引っ掛け爪２２および突起爪２３の形状や構造は図示のものに限られるものではなく適宜変更することができる。すなわち、扉４の開放を許容するよう扉開放時には係合が外れ、扉閉鎖時には動力源である駆動装置２０の動力が扉４を本体１方向に押し付ける力として働く係合部材（引き付け部材を含む）あるいは爪部材であればよい。したがってまた、駆動装置２０もステッピングモータに限らず、マグネットやソレノイド、あるいはシリンダ等を用いることができる。
【００１７】
また、引っ掛け爪２２を有する駆動装置２０および扉４の突起爪２３は複数設置することにより、扉４の閉鎖力増加の効果を高めることができ、扉４の押し付け力の均一化を図ることもできる。また、引っ掛け爪２２および突起爪２３は扉４のヒンジ６より遠い位置（この例では扉４、本体１の上部）に配置することが好ましく、駆動装置２０の小型化が可能になる。
【００１８】
次に、動作について図５を参照しながら説明する。図５は扉４の開閉から運転までのシーケンスを示すフローチャートである。
扉４を開け、被加熱物を加熱室２内に設置した後、扉４を閉める（Ｓ１）。扉４を閉めると、図２における扉開閉検知スイッチ１５が突起１３によりレバー１４を介して押されてオンとなる。すなわち、扉開閉検知スイッチ１５のオン信号により扉４が閉鎖されていると判断した場合（Ｓ２）のみ、図示しない制御回路により運転が可能となる。その後、操作パネル５上に設置されている運転ボタンにより運転がオンされた（Ｓ３）後に、駆動装置２０が起動し引っ掛け爪２２が所定の角度だけ回動することにより、引っ掛け爪２２と扉４に設けられた突起爪２３とが係合し突起爪２３を本体１方向へ変位させることで扉４の閉鎖力を高める（Ｓ４）。その後、マイクロ波発振源であるマグネトロンを発振する（Ｓ５）。これにより、被加熱物を加熱・調理することができる。
【００１９】
このように、運転オン以前のときには、扉４にはドアアーム７に取り付けられているバネ１０による閉鎖力のほかは何ら外力は作用していないので、使用者は簡単かつ自由に扉４を開閉することができる。したがって、高齢者や子供などのように力の弱い人でも簡単に開閉でき、利便性が高いものである。
【００２０】
また、扉４の押し付け力を発生させるのは、図５のフローチャート上、運転ボタンによる入力（Ｓ３）のみに限らず、特定の入力キーによる運転時とすることも可能である。一例として、マイクロ波加熱の場合のみ押し付け力を発生させ、オーブン加熱の場合には押し付け力を発生させないことが可能である。
【００２１】
実施の形態２．
図６は本発明の実施の形態２における扉閉鎖状態のオーブンレンジの要部断面図を示すものである。
加熱室２内で発生する熱風や蒸気を、扉４周辺から漏洩させないことで熱効率を高める目的から、扉４が本体１の開口部周辺に当接する部分にはパッキン２５を設ける。パッキン２５は柔軟性のあるゴムなどで構成し、さらに駆動装置２０による押し付け力を付与することにより、より確実な密閉が可能となり、加熱室２内に置かれた被加熱物の加熱時間を短縮することが可能である。パッキン２５は扉４あるいは本体１の開口部周辺の閉鎖面（前面パネル１６）の少なくとも一方の面に設ければよい。その他の構成は実施の形態１と同じであるので同一符号を付し説明は省略する。
【００２２】
実施の形態３．
図６において、パッキン２５にカーボン粉末や金属粉などを混入したものを用いることにより、導電性を付与したパッキン２５とすることができる。導電性を持たせることにより、電磁波反射性能を向上させることができる。従来、オーブンレンジでは扉４内部に金属板を複雑に折り曲げたチョーク構造を用いることで電磁波漏洩を防止する公知技術があるが、チョークおよび電磁波漏洩を防止するために必要な本体１開口部周辺の寸法がλ／４（λは電磁波の波長）程度必要で寸法が大型化する欠点があったが、本構造であれば、導電性のパッキン２５および突起爪２３分の寸法のみで構成することができるため、扉４の部分および本体１開口部周辺部の寸法を大幅に圧縮することができ、ひいては本体自体の小型化が可能であるとともに、電磁波漏洩の減少を図ることができる。
【図面の簡単な説明】
【００２３】
【図１】本発明の実施の形態１を示す家電機器の一例の外観斜視図である。
【図２】本発明の実施の形態１を示す家電機器の扉閉鎖状態における要部断面図である。
【図３】本発明の実施の形態１を示す家電機器の扉開放途中状態における要部断面図である。
【図４】本発明の実施の形態１における扉押し付け力発生のための駆動装置の斜視図である。
【図５】本発明の実施の形態１における扉閉鎖時の押し付け力発生に至るフローチャートである。
【図６】本発明の実施の形態２および実施の形態３を示す家電機器の扉閉鎖状態における要部断面図である。
【符号の説明】
【００２４】
１  本体、２  加熱室、３  ハンドル、４  扉、５  操作パネル、６  ヒンジ、７  ドアアーム、８  軸、９  回転軸、１０  バネ、１１  バネ固定具、１２  検知装置、１３  突起、１４  レバー、１５  扉開閉検知スイッチ、１６  前面パネル、１７  挿入口、２０  駆動装置、２１  回転軸、２２  引っ掛け爪、２３  突起爪、２４  挿入口、２５  パッキン。
【図１】
2006275439.tif 000003
【図２】
2006275439.tif 000004
【図３】
2006275439.tif 000005
【図４】
2006275439.tif 000006
【図５】
2006275439.tif 000007
【図６】
2006275439.tif 000008